(57)【特許請求の範囲】
【請求項１】
通信デバイスに接続されたゲートウェイ装置であって、
前記通信デバイスの種別に応じた所定の情報に基づいて、前記通信デバイスに対する通信設定を決定する通信設定決定部と、
決定した通信設定に従って前記通信デバイスによる前記ゲートウェイ装置を介した通信を制御する通信制御部と、を備え、
前記所定の情報は、製品のカテゴリ、用途、通信機能、通信の暗号処理に関するセキュリティ機能・性能、関連情報、および、推奨される通信設定の各項目を含み、
前記推奨される通信設定は、前記製品のカテゴリ、前記用途、前記通信機能、前記セキュリティ機能・性能、前記関連情報の少なくともいずれかに関して、前記通信デバイスのベンダまたは前記通信デバイスで動作するアプリケーションのベンダで推奨される通信設定に関する情報であり、
前記通信設定決定部は、前記所定の情報の前記各項目に設定された情報に基づき、前記通信デバイスに対する通信設定を決定し、
前記通信制御部は、前記通信デバイスによる前記ゲートウェイ装置を介した通信が、前記所定の情報の前記各項目に設定された情報に基づいて決定された前記通信設定に違反しているか否かを検出し、
前記通信設定決定部は、前記決定された通信設定として、
前記所定の情報の前記製品のカテゴリ、前記用途、前記通信機能、前記セキュリティ機能・性能、前記関連情報の各項目に設定された情報に対応して、
前記ゲートウェイ装置に設定されたユーザのポリシに基づき、前記通信デバイスによりアクセス可能なネットワークとそれ以外のネットワークとを分離するネットトワーク分離の設定、
ＱｏＳ（Quality of Service）の設定、
有効ポート、有効アドレスの設定、
前記ゲートウェイ装置による暗号処理の代替設定、
前記通信デバイスのアクセス制限、前記ユーザへの通知の設定、
の少なくともいずれかを行う、ゲートウェイ装置。
【請求項２】
前記通信設定決定部は、前記所定の情報の前記用途の項目の設定情報に基づき、前記用途に応じて前記通信デバイスによる通信の帯域および優先度に関する通信設定を行う、
請求項１記載のゲートウェイ装置。
【請求項３】
前記通信設定決定部は、前記所定の情報の前記通信機能の項目の設定情報に基づき、前記通信機能に応じて前記通信デバイスによる通信の有効ポートに関する通信設定を行う、
請求項１又は２に記載のゲートウェイ装置。
【請求項４】
前記通信設定決定部は、前記所定の情報の前記セキュリティ機能・性能の項目の設定情報に基づき、前記通信デバイスが暗号処理機能を有していないか、または十分な処理能力を有していない場合、前記通信デバイスによる暗号処理を前記ゲートウェイ装置によって代替するように通信設定を行う、
請求項１ないし３のいずれか１項に記載のゲートウェイ装置。
【請求項５】
前記通信設定決定部は、前記所定の情報の前記関連情報の項目の設定情報に基づき、前記通信デバイスによる少なくとも一部のポート、アドレスへのアクセスを遮断し、もしくは、前記通信デバイスによる通信を拒否する通信設定を行い、または、前記関連情報を前記ユーザに通知する、
請求項１ないし４のいずれか１項に記載のゲートウェイ装置。
【請求項６】
前記通信デバイスの識別子と前記所定の情報とを関連付けて保持するデータベースと、
前記通信デバイスの識別子を含む通信要求を前記通信デバイスから受信する通信部と、
を備え、
前記通信設定決定部は、前記データベースを参照して、前記通信要求に含まれる識別子に関連付けられた前記所定の情報に基づいて、前記通信デバイスに対する通信設定を決定し、
前記通信要求に含まれる前記通信デバイスの識別子と前記所定の情報とを関連付けて前記データベースに保持していない場合、前記識別子を用いて前記所定の情報をデータベースサーバに問い合わせる情報要求送信部と、
前記問い合わせに応じて前記データベースサーバから前記所定の情報を取得し、前記識別子と関連付けて前記データベースに格納する応答情報受信部と、を備え、
前記通信設定決定部は、決定した前記通信デバイスに対する通信設定を、前記通信デバイスの識別子および前記所定の情報と関連付けて前記データベースに格納する、
請求項１ないし５のいずれか１項に記載のゲートウェイ装置。
【請求項７】
ゲートウェイ装置による通信制御方法であって、
通信デバイスの種別に応じた所定の情報に基づいて、前記通信デバイスに対する通信設定を決定するステップと、
決定した通信設定に従って前記通信デバイスによる前記ゲートウェイ装置を介した通信を制御するステップと、
を含み、
前記所定の情報は、製品のカテゴリ、用途、通信機能、通信の暗号処理に関するセキュリティ機能・性能、関連情報、および、推奨される通信設定の各項目を含み、
前記推奨される通信設定は、前記製品のカテゴリ、前記用途、前記通信機能、前記セキュリティ機能・性能、前記関連情報の少なくともいずれかに関して、前記通信デバイスのベンダまたは前記通信デバイスで動作するアプリケーションのベンダで推奨される通信設定に関する情報であり、
前記所定の情報の前記各項目に設定された情報に基づき、前記通信デバイスに対する通信設定を決定し、
前記通信デバイスによる前記ゲートウェイ装置を介した通信が、前記所定の情報の前記各項目に設定された情報に基づいて決定された前記通信設定に違反しているか否かを検出し、
前記決定された通信設定として、
前記所定の情報の前記製品のカテゴリ、前記用途、前記通信機能、前記セキュリティ機能・性能、前記関連情報の各項目に設定された情報に対応して、
前記ゲートウェイ装置に設定されたユーザのポリシに基づき、前記通信デバイスによりアクセス可能なネットワークとそれ以外のネットワークとを分離するネットトワーク分離の設定、
ＱｏＳ（Quality of Service）の設定、
有効ポート、有効アドレスの設定、
前記ゲートウェイ装置による暗号化処理の代替設定、
前記通信デバイスのアクセス制限、前記ユーザへの通知の設定、
の少なくともいずれかを行う、ことを特徴とする通信制御方法。
【請求項８】
請求項1乃至６のいずれか１項に記載のゲートウェイ装置と、
通信デバイスの識別子と前記通信デバイスの種別に応じた所定の情報とを関連付けて保持するデータベースサーバと、
を備え、
前記ゲートウェイ装置の前記通信設定決定部は、前記通信デバイスの識別子と前記通信デバイスに対して決定した通信設定を前記データベースサーバに通知し、
前記データベースサーバは、前記ゲートウェイ装置の識別子と前記通信デバイスの識別子と前記通信デバイスに対して決定された通信設定とを関連付けて保持し、他のゲートウェイ装置から前記通信デバイスに対する前記所定の情報の問い合わせに応じて、前記ゲートウェイ装置により決定された通信設定を回答する、
ことを特徴とする通信制御システム。
【請求項９】
ゲートウェイ装置に設けられたコンピュータに、
通信デバイスの種別に応じた所定の情報として、製品のカテゴリ、用途、通信機能、通信の暗号処理に関するセキュリティ機能・性能、関連情報、および、推奨される通信設定の各項目を含み、
前記推奨される通信設定は、前記製品のカテゴリ、前記用途、前記通信機能、前記セキュリティ機能・性能、前記関連情報の少なくともいずれかに関して推奨される通信設定に関する情報であり、
前記所定の情報の前記各項目に設定された情報に基づいて、前記通信デバイスに対する通信設定を決定する処理と、
前記決定された通信設定として、
前記所定の情報の前記製品のカテゴリ、前記用途、前記通信機能、前記セキュリティ機能・性能、前記関連情報の各項目に設定された情報に対応して、
前記ゲートウェイ装置に設定されたユーザのポリシに基づき、前記通信デバイスによりアクセス可能なネットワークとそれ以外のネットワークとを分離するネットトワーク分離の設定、
ＱｏＳ（Quality of Service）の設定、
有効ポート、有効アドレスの設定、
前記ゲートウェイ装置による暗号処理の代替設定、
前記通信デバイスのアクセス制限、前記ユーザへの通知の設定、
の少なくともいずれかを行う処理と、
決定した通信設定に従って前記通信デバイスによる前記ゲートウェイ装置を介した通信を制御する処理であって、前記通信デバイスによる前記ゲートウェイ装置を介した通信が、前記所定の情報の前記各項目に設定された情報に基づいて決定された前記通信設定に違反しているか否かを検出する処理と、を実行させるプログラム。
【発明の詳細な説明】
【技術分野】
【０００１】
本発明は、ゲートウェイ装置、通信制御方法、通信制御システム、および、プログラムに関し、特に通信デバイスによる通信を制御するゲートウェイ装置、通信制御方法、通信制御システム、および、プログラムに関する。
【背景技術】
【０００２】
家庭内において、ローカルエリアネットワーク（ＬＡＮ：Local Area Network）を介してパーソナルコンピュータ（ＰＣ：Personal Computer）、プリンタ、ゲーム機器等の通信デバイスを相互に接続し、または、これらの通信デバイスを広域通信網（ＷＡＮ：Wide Area Network）を介して外部のサーバ等に接続する場合、ホームルータ等のゲートウェイ装置を経由した通信が行われる。このとき、ユーザは、個々の通信デバイスの機能を確認した上で、各通信デバイスに対する通信設定を手動で行う必要がある。
【０００３】
関連技術として、特許文献１には、情報処理装置がサーバから送信された設定情報により、情報処理装置が属するネットワークに適した通信の設定（デフォルトルータ等）を行う技術が記載されている。
【０００４】
また、特許文献２には、多数のフィールドデバイスの設定情報を供給サーバに登録しておくことで、各フィールドデバイスの設定をネットワーク経由で実施する技術が記載されている。
【０００５】
さらに、特許文献３には、ネットワーク機器がネットワーク機器の通信設定を行うための通信設定情報を設定端末から受信し、これに応じて通信設定を行う技術が記載されている。
【０００６】
また、特許文献４には、デバイスが送信する電波を解析して当該デバイスをネットワークに参加させるためのデバイス識別子を自動的に取得するゲートウェイ装置が記載されている。
【先行技術文献】
【特許文献】
【０００７】
【特許文献１】特開２０１２−１９９８３８号公報
【特許文献２】特開２００９−２８４１８３号公報
【特許文献３】特開２００７−３０６２３９号公報
【特許文献４】特開２０１４−００７６６８号公報
【発明の概要】
【発明が解決しようとする課題】
【０００８】
上記特許文献の全開示内容は、本書に引用をもって繰り込み記載されているものとする。以下の分析は、本発明者によってなされたものである。
【０００９】
上述のように、個々の通信デバイスに対する通信設定を、ゲートウェイ装置に対してユーザが手動で設定する場合、各通信デバイスに関する情報を、マニュアル等を参照して調査して、ゲートウェイ装置に設定する必要がある。かかる作業には手間や時間がかかり、不適切な設定が行われるおそれもある。
【００１０】
また、上記特許文献１ないし３に記載された技術はいずれも通信デバイス（情報処理装置、フィールドデバイス、ネットワーク機器）自体に自動で通信設定を行うものであり、ゲートウェイ装置に対する通信設定に関する技術を開示するものではない。
【００１１】
また、特許文献４に記載された技術では、通信デバイスに対するデバイス識別子を取得するために、通信デバイスが送出する電波を解析する必要がある。したがって、パケットアナライザやスニッファ等の電波解析装置を別途設置しなければならない。かかる構成によると、装置構成が冗長かつ複雑となる。また、電波の解析に失敗した場合、デバイス識別子を取得できず、通信デバイスをネットワークや他の機器に接続することができなくなる。
【００１２】
そこで、通信デバイスによるゲートウェイ装置を介した通信に関する設定をゲートウェイデバイスに自動で設定できるようにすることが課題となる。本発明の目的は、かかる課題解決に寄与するゲートウェイ装置、通信制御方法、通信制御システム、および、プログラムを提供することにある。
【課題を解決するための手段】
【００１３】
本発明の第１の態様に係るゲートウェイ装置は、通信デバイスに接続されたゲートウェイ装置であって、前記通信デバイスの種別に応じた所定の情報に基づいて、前記通信デバイスに対する通信設定を決定する通信設定決定部と、決定した通信設定に従って前記通信デバイスによる前記ゲートウェイ装置を介した通信を制御する通信制御部と、を備え、前記所定の情報は、製品のカテゴリ、用途、通信機能、セキュリティ機能・性能、関連情報、および、推奨される通信設定のうちの少なくともいずれかを含み、前記推奨される通信設定は、製品のカテゴリ、用途、通信機能、セキュリティ機能・性能、および、関連情報のうちの少なくともいずれかに関して推奨される通信設定であり、前記通信設定決定部は、前記推奨される通信設定に応じて、前記通信デバイスに対する通信設定を決定する。
【００１４】
本発明の第２の態様に係る通信制御方法は、ゲートウェイ装置が、通信デバイスの種別に応じた所定の情報に基づいて、前記通信デバイスに対する通信設定を決定するステップと、決定した通信設定に従って前記通信デバイスによる前記ゲートウェイ装置を介した通信を制御するステップと、を含み、前記所定の情報は、製品のカテゴリ、用途、通信機能、セキュリティ機能・性能、関連情報、および、推奨される通信設定のうちの少なくともいずれかを含み、前記推奨される通信設定は、製品のカテゴリ、用途、通信機能、セキュリティ機能・性能、および、関連情報のうちの少なくともいずれかに関して推奨される通信設定であり、前記ゲートウェイ装置は、前記推奨される通信設定に応じて、前記通信デバイスに対する通信設定を決定する。
【００１５】
本発明の第３の態様に係る通信制御システムは、通信デバイスの識別子と前記通信デバイスの種別に応じた所定の情報とを関連付けて保持するデータベースサーバと、前記通信デバイスおよび前記データベースサーバに接続されたゲートウェイ装置と、を備え、前記ゲートウェイ装置は、前記所定の情報に基づいて、前記通信デバイスに対する通信設定を決定する通信設定決定部と、決定した通信設定に従って前記通信デバイスによる前記ゲートウェイ装置を介した通信を制御する通信制御部と、を有し、前記通信設定決定部は、前記通信デバイスの識別子と前記通信デバイスに対して決定した通信設定を前記データベースサーバに通知し、前記データベースサーバは、前記ゲートウェイ装置の識別子と前記通信デバイスの識別子と前記通信デバイスに対して決定された通信設定とを関連付けて保持し、他のゲートウェイ装置から前記通信デバイスに対する前記所定の情報の問い合わせに応じて、前記ゲートウェイ装置により決定された通信設定を回答する。
【００１６】
本発明の第４の態様に係るプログラムは、ゲートウェイ装置に設けられたコンピュータに対して、通信デバイスの種別に応じた所定の情報として、製品のカテゴリ、用途、通信機能、セキュリティ機能・性能、関連情報、および、推奨される通信設定のうちの少なくともいずれかを含み、さらに前記所定の情報のうちいずれかに関して推奨される通信設定を有し、前記推奨される通信設定に基づいて、前記通信デバイスに対する通信設定を決定する処理と、前記通信デバイスに対する通信設定を決定する処理と、決定した通信設定に従って前記通信デバイスによる前記ゲートウェイ装置を介した通信を制御する処理と、を実行させる。なお、プログラムは、非一時的なコンピュータ可読記録媒体（non-transitory computer-readable storage medium）に記録されたプログラム製品として提供することもできる。
【発明の効果】
【００１７】
本発明に係るゲートウェイ装置、通信制御方法、通信制御システム、および、プログラムによると、通信デバイスによるゲートウェイ装置を介した通信に関する設定をゲートウェイデバイスに自動で設定することができる。
【図面の簡単な説明】
【００１８】
【図１】本発明の一実施形態に係るゲートウェイ装置の構成を例示するブロック図である。
【図２】本発明の第１の実施形態に係る通信制御システムの構成を例示する図である。
【図３】第１の実施形態におけるゲートウェイ装置の構成を例示するブロック図である。
【図４】第１の実施形態におけるゲートウェイ装置のデータベースが保持する情報を例示する表である。
【図５】第１の実施形態におけるデータベースサーバの構成を例示するブロック図である。
【図６】第１の実施形態におけるデータベースサーバの情報データベースが保持する情報を例示する表である。
【図７】第１の実施形態に係る通信制御システムの動作を例示するシーケンス図である。
【図８】本発明の第２の実施形態に係る通信制御システムの構成を例示する図である。
【図９】第２の実施形態におけるデータベースサーバの情報データベースが保持する情報を例示する表である。
【図１０】第２の実施形態に係る通信制御システムの動作を例示するシーケンス図である。
【発明を実施するための形態】
【００１９】
はじめに、本発明の一実施形態の概要について説明する。なお、この概要に付記する図面参照符号は、専ら理解を助けるための例示であり、本発明を図示の態様に限定することを意図するものではない。
【００２０】
図１は、本発明の一実施形態に係るゲートウェイ装置４の構成を例示するブロック図である。図２は、ゲートウェイ装置４を備えた通信制御システムの構成を例示する図である。図１を参照すると、ゲートウェイ装置４は、通信設定決定部２２および通信制御部２４を備え、通信デバイス（例えば、図２のデバイス２Ａ〜２Ｃ）に接続されている。
【００２１】
通信設定決定部２２は、通信デバイスの種別（例えば、ＰＣ（Personal Computer）、家電製品、ゲーム機、監視カメラ等）に応じた所定の情報（例えば、図６に示す製品のカテゴリ、用途、通信機能、セキュリティ機能・性能、（製品）関連情報、推奨される通信設定等）に基づいて、通信デバイスに対する通信設定（例えば、図４に示すような、ネットワーク分離、ＱｏＳ（Quality of Service）、有効ポート、有効アドレス、暗号処理、アクセス制限・ユーザへの通知等）を決定する。また、通信制御部２４は、決定した通信設定に従って通信デバイスによるゲートウェイ装置４を介した通信（例えば、図２のＬＡＮ（Local Area Network）８内の通信、ＷＡＮ（Wide Area Network）１０側との通信等）を制御する。
【００２２】
かかるゲートウェイ装置４によると、通信デバイスによるゲートウェイ装置を介した通信に関する設定をゲートウェイデバイスに自動で設定することが可能となる。なぜなら、通信デバイスに対する通信設定（すなわち、ネットワーク分離、ＱｏＳ、有効ポート、有効アドレス、暗号処理、アクセス制限、ユーザへの通知等）は、通信デバイスの種別（ＰＣ、家電製品、ゲーム機、監視カメラ等）に応じた所定の情報（製品のカテゴリ、用途、通信機能、セキュリティ機能・性能、関連情報、推奨される通信設定等）に基づいて、ゲートウェイ装置４によって自動的に決定されるからである。
【００２３】
＜実施形態１＞
次に、本発明の第１の実施形態に係る通信制御システムについて、図面を参照して説明する。
【００２４】
（構成）
図２は、本実施形態に係る通信制御システムの接続構成を例示する図である。図２を参照すると、通信制御システムは、ゲートウェイ装置４およびデータベースサーバ６を備えている。ゲートウェイ装置４とデータベースサーバ６は、ＷＡＮ（Wide Area Network）１０を介して接続される。ゲートウェイ装置４には、Ethernet（登録商標）、Wi-Fi（Wireless Fidelity）等のＬＡＮ（Local Area Network）８を介して、通信デバイス２Ａ〜２Ｃが接続する。通信デバイス２Ａ〜２Ｃは、例えば、監視カメラ、ゲーム機、家電製品（テレビ、エアコン、冷蔵庫等）、ＰＣ（Personal Computer）等である。以下では、通信デバイス２Ａ〜２Ｃは、適宜、通信デバイス２と総称する。
【００２５】
図３は、ゲートウェイ装置４の構成を例示するブロック図である。図３を参照すると、ゲートウェイ装置４は、通信部１２、情報要求送信部１４、データベース１６、データベース検索部１８、応答情報受信部２０、通信設定決定部２２、通信制御部２４、不正通信報告部２６、アラーム生成部２８、および、報告データベース３０を備えている。
【００２６】
通信部１２は、ゲートウェイ装置４に含まれるユニットから受信した情報を通信デバイス２およびデータベースサーバ６に向けて送出するとともに、通信デバイス２およびデータベースサーバ６から受信した情報をゲートウェイ装置４に含まれる対応するユニットに転送する。
【００２７】
データベース検索部１８は、通信部１２が通信デバイス２の識別子（例えば、ＭＡＣ（Media Access Control）アドレス）を含む通信要求を通信デバイス２から受信すると、データベース１６を参照して、通信デバイス２に対応する「所定の情報」をＭＡＣアドレスに関連付けて保持しているかどうかを確認する。
【００２８】
図４は、ゲートウェイ装置４のデータベース１６が保持する情報を例示する表である。図４を参照すると、データベース１６は、通信デバイスの識別子と、「所定の情報」と、後述の通信設定決定部２２が決定した通信設定とを、互いに関連付けて保持する。ここで、「所定の情報」とは、図４に示すように、「通信デバイス２の「製品のカテゴリ」、「用途」、「通信機能」、「セキュリティ機能、性能」、「関連情報」および「推奨される通信設定」を含む。また、「推奨される通信設定」は、「製品のカテゴリ」、「用途」、「通信機能」、「セキュリティ機能・性能」、「関連情報」のうちの少なくともいずれか（最大５つ）に関して推奨される通信設定を含む。推奨される通信設定は、例えば、通信デバイス２のベンダ、または、通信デバイス２上で動作するアプリケーションのベンダによって推奨される通信設定であってもよい。さらに、「関連情報」に関して「推奨される通信設定」には、「送信ＩＰアドレス、受信ＩＰアドレスの指定・限定」が含まれるようにしてもよい。かかる通信設定は、例えば、通信デバイス２がサービス提供のために使用するサーバやファームウェア更新を行うためのサーバ（これらのサーバは特定のＩＰアドレスを有する）にアクセスすることを許可するために使用することができる。
【００２９】
情報要求送信部１４は、データベース１６が通信デバイス２に対応する「所定の情報」を保持していない場合、通信デバイス２から受信した通信デバイス２のＭＡＣアドレスの全部または一部の情報を用いて、データベースサーバ６に対して通信デバイス２に関する「所定の情報」についての問い合わせ（情報要求）を行う。
【００３０】
応答情報受信部２０は、データベースサーバ６から通信部１２を介して、通信デバイス２に関する「所定の情報」を受信する。また、応答情報受信部２０は、受信した「所定の情報」を通信デバイス２のＭＡＣアドレスに関連付けて、データベース１６に格納する。
【００３１】
通信設定決定部２２は、データベースサーバ６から受信した「所定の情報」、または、データベース１６に蓄積済みの「所定の情報」に基づいて、通信デバイス２に対する通信設定（例えば、ネットワーク分離、ＱｏＳ、セキュリティ対策、通信拒否など）を行う。通信設定決定部２２は、「所定の情報」に含まれる「製品のカテゴリ」に応じて、通信デバイス２によりアクセス可能なネットワークとそれ以外のネットワークとを分離する通信設定を行う。また、通信設定決定部２２は、「所定の情報」に含まれる「用途」に応じて前記通信デバイスによる通信の帯域および優先度に関する通信設定を行う。さらに、通信設定決定部２２は、「所定の情報」に含まれる「通信機能」に応じて通信デバイス２による通信の有効ポートに関する通信設定を行う。また、通信設定決定部２２は、「所定の情報」に含まれる「セキュリティ機能・性能」に応じて、通信デバイス２のための暗号処理（暗号化処理、復号化処理等）をゲートウェイ装置４によって代替するように通信設定を行う。さらに、通信設定決定部２２は、「所定の情報」に含まれる「関連情報」に応じて、通信デバイス２による少なくとも一部のポート、アドレスへのアクセスを遮断し、もしくは、通信デバイス２による通信を拒否する通信設定を行い、または、関連情報をユーザに通知する。また、通信設定決定部２２は、上記の通信設定が完了すると、データベース１６に対して、決定した通信設定を通信デバイスの識別子と関連付けて登録する。さらに、通信設定決定部２２は、ゲートウェイ装置４の設定画面に、取得した通信デバイス２のＭＡＣアドレスとともに、通信設定決定部２２が決定した通信設定等を表示する。
【００３２】
通信制御部２４は、通信設定決定部２２が決定した通信設定に従って、通信デバイス２による通信を制御する。また、通信制御部２４は、製品カテゴリ、用途等に違反した通信（不正通信）が検出された場合、不正通信に関する情報を不正通信報告部２６に通知する。
【００３３】
不正通信報告部２６は、不正通信に関する情報をユーザおよびデータベースサーバ６にフィードバックする。具体的には、不正通信報告部２６は、アラーム生成部２８を用いて、ユーザに対して不正通信の発生を通知する。また、不正通信報告部２６は、不正通信に関する情報を報告データベース３０に蓄積する。さらに、不正通信報告部２６は、不正通信に関する情報を、通信部１２を介してデータベースサーバ６に報告する。
【００３４】
図５は、データベースサーバ６の構成を例示するブロック図である。図５を参照すると、データベースサーバ６は、通信部３２、情報要求受信部３４、情報データベース３６、データベース検索部３８、応答情報送信部４０、報告受信部４２、および、報告データベース４４を備えている。
【００３５】
通信部３２は、データベースサーバ６に含まれるユニットから受信した情報をゲートウェイ装置４に向けて送出するとともに、ゲートウェイ装置４から受信した情報をデータベースサーバに含まれる対応するユニットに転送する。
【００３６】
情報要求受信部３４は、ゲートウェイ装置４からの情報要求を、通信部３２を介して受け付けて、データベース検索部３８に転送する。
【００３７】
データベース検索部３８は、情報要求を受けると、事前に登録されていた情報データベース３６を参照し、ゲートウェイ装置４から問い合わせ（情報要求）されたＭＡＣアドレスに対応する製品に関する「所定の情報」を検索する。
【００３８】
図６は、データベースサーバ６の情報データベース３６が保持する情報を例示する表である。図６を参照すると、情報データベース３６は、通信デバイス２の識別子と、「所定の情報」とを、関連付けて保持する。ここで、「所定の情報」とは、図６に示すように、「通信デバイス２の「製品のカテゴリ」、「用途」、「通信機能」、「セキュリティ機能、性能」、「関連情報」および「推奨される通信設定」を含む。また、「推奨される通信設定」は、「製品のカテゴリ」、「用途」、「通信機能」、「セキュリティ機能・性能」、「関連情報」のうちの少なくともいずれか（最大５つ）に関して（例えば、通信デバイス２のベンダや、通信デバイス２上で動作するアプリケーションのベンダによって）推奨される通信設定を含む。
【００３９】
応答情報送信部４０は、検索された「所定の情報」を、通信部３２を経由してゲートウェイ装置４に送信する。
【００４０】
報告受信部４２は、ゲートウェイ装置４から通信部３２を経由して、不正通信に関する情報を受信すると、報告データベース４４に蓄積する。
【００４１】
（動作）
次に、通信デバイス２と、通信デバイス２に直接接続されるゲートウェイ装置４、および、デバイス情報を管理するクラウド上のデータベースサーバ６による構成を用いて本実施形態に係る通信制御システムの動作を説明する。 図７は、通信制御システムの動作を例示するシーケンス図である。
【００４２】
（１）デバイス情報の自動取得
図７を参照すると、通信デバイス２は、ゲートウェイ装置４に対して、通信デバイス２の識別子を含む通信要求を送信する（ステップＡ１）。ここで、通信デバイス２が通信を開始する際にやりとりするデバイスの識別子として、例えば、ＭＡＣ（Media Access Control）アドレスがある。ここで、ＭＡＣアドレスは原則としてデバイス１つ１つに個別に割り当てられており、当該デバイス固有の情報である。本実施形態では、通信デバイスの識別子がＭＡＣアドレスである場合について説明するが、本発明における通信デバイスの識別子はＭＡＣアドレスに限定されず、通信デバイスを一意に識別可能なもの（または、製品の種別を特定可能なもの）であればよい。
【００４３】
ゲートウェイ装置４の通信部１２は、通信デバイス２から送出されたＭＡＣアドレスを含む通信要求を受信する。すると、ゲートウェイ装置４のデータベース検索部１８は、データベース１６（図４）を参照して、通信デバイス２に対応する情報をＭＡＣアドレスに関連付けて保持しているかどうかを確認する。当該情報を保持している場合、後述のステップＡ７に進む。一方、当該情報を保持していない場合、情報要求送信部１４は、通信デバイス２から受信した通信デバイス２のＭＡＣアドレスの全部または一部の情報を用いて、データベースサーバ６に対して通信デバイス２の情報についての問い合わせ（情報要求）を行う（ステップＡ３）。
【００４４】
データベースサーバ６の情報要求受信部３４は、ゲートウェイ装置４からの情報要求を、通信部３２を介して受け付けて、データベース検索部３８に転送する。データベース検索部３８は、当該情報要求に応じて事前に登録されていた情報データベース３６（図６）を参照し、ゲートウェイ装置４から問い合わせ（情報要求）されたＭＡＣアドレスに対応する製品に関する「所定の情報」を検索する（ステップＡ４）。また、応答情報送信部４０は、検索された「所定の情報」を、通信部３２を経由してゲートウェイ装置４に送信する（ステップＡ５）。
【００４５】
ここで、「所定の情報」とは、通信デバイス２の「製品のカテゴリ」、「用途」、「通信機能」、「セキュリティ機能、性能」、「関連情報」および「推奨される通信設定」である。また、「推奨される通信設定」は、「製品のカテゴリ」、「用途」、「通信機能」、「セキュリティ機能・性能」、「関連情報」のうちの少なくともいずれか（最大５つ）に関して推奨される通信設定を含む。
【００４６】
ゲートウェイ装置４の応答情報受信部２０は、データベースサーバ６から通信部１２を介して、通信デバイス２に関する「所定の情報」を受信する。また、応答情報受信部２０は、受信した「所定の情報」を通信デバイス２のＭＡＣアドレスに関連付けて、データベース１６（図４）に格納する（ステップＡ６）。なお、ゲートウェイ装置４におけるデータベース１６の更新は定期的に行う。 
【００４７】
（２）通信接続の自動設定
次に、ゲートウェイ装置４の通信設定決定部２２は、データベースサーバ６から受信した「所定の情報」、または、データベース１６に蓄積済みの「所定の情報」に基づいて、通信デバイス２に対する通信設定（例えば、ネットワーク分離、ＱｏＳ、暗号処理、通信拒否など）を行う（ステップＡ７）。通信設定決定部２２が行う通信設定は、例えば以下の（２．１）〜（２．５）のような設定を含んでもよい。
【００４８】
（２．１）「製品のカテゴリ」に応じた「ネットワーク分離」設定
通信設定決定部２２は、「製品のカテゴリ」に合わせて、家電製品、ＯＡ（Office Automation）機器などのカテゴリに合わせて、ネットワークの分離（例えばアクセス制限）を行う。通信設定決定部２２は、例えば、通信デバイス２の「製品のカテゴリ」が「ゲーム機」である場合、無条件にＬＡＮへの接続を不可とする。このとき、仮にWi-Fi（Wireless Fidelity）のＳＳＩＤ（Service Set Identifier）とパスワードを設定していた場合でも、ゲーム機に該当する通信デバイス２はＬＡＮ８に接続することができない。また、他の例として、通信設定決定部２２は、通信デバイス２の「製品のカテゴリ」が「家電製品」である場合、ＷＡＮ１０側との通信を不可とすることができる。なお、これらの「ポリシ」（例えば「ゲーム機は接続不可」、「家電製品は宅内接続のみ」等）は、ユーザがゲートウェイ装置４に対して設定する。また、これらの通信設定に係るポリシは例示にすぎず、本発明において通信設定決定部２２が用いるポリシは、これらに限定されない。 
【００４９】
（２．２）「用途」に応じた「ＱｏＳ」設定
通信設定決定部２２は、「用途」に合わせて、通信のＱｏＳ（例えば、通信量制限や優先度設定）に関する設定を行う。例えば、通信設定決定部２２は、リアルタイム要求性がある通信については高優先とし、それ以外の通信については低優先とすることができる。一例として、通信デバイス２が監視カメラであり、ゲートウェイ装置４を経由して外部の記憶装置に監視カメラで撮像した画像を転送したり、または、監視カメラの画像をリモートでリアルタイムに監視したりするときには、通信デバイス２が行う通信の「用途」としてリアルタイム性が要求される。かかる場合、通信設定決定部２２は、通信デバイス２による通信の優先度を高い優先度とすることができる。
【００５０】
（２．３）「通信機能（プロトコル）」に応じた「有効ポート」設定
通信設定決定部２２は、「通信機能（使用するプロトコル）」に合わせて、有効ポート設定を行う。一般に、通信デバイスの種類に応じて、予め使用するポートが決まっているため、通信設定決定部２２は使用しないポート宛てのパケットを廃棄（ドロップ）する等により、不適切な通信を遮断する。
【００５１】
（２．４）「セキュリティ機能・性能」に応じた「セキュリティ機能の代替」設定
通信設定決定部２２は、「セキュリティ機能・性能」に合わせて、ネットワーク上の通信の暗号処理（暗号化、復号化等）をサポートする。通信デバイスによっては暗号処理機能を有していない（または十分な処理能力を有していない）場合がある。通信設定決定部２２は、かかる場合には、ゲートウェイ装置４の側で、セキュリティ機能（例えば、通信の暗号化）に関する処理を代替する。
【００５２】
（２．５）「（製品）関連情報」に応じた「アクセス制限、ユーザ通知」設定
通信設定決定部２２は、「（製品）関連情報」に応じて、通信デバイス２による少なくとも一部のポート、アドレスへのアクセスを遮断し、もしくは、通信デバイス２による通信を拒否する通信設定を行い、または、関連情報をユーザに通知する。ここで、「（製品）関連情報」とは、製品に関する情報であり、随時更新されるものを示す。例えば、「関連情報」として「脆弱性情報」が存在する通信デバイス２については、通信設定決定部２２は一部ポート、アドレスへのアクセス遮断、もしくは、全面的な通信拒否を行うなどの設定を行い、さらに、必要に応じてユーザにアラーム情報を通知する。アラーム情報の通知方法については特に限定されないが、例えば、ゲートウェイ装置２に接続されたユーザの端末にアラーム情報を含むメールを送信したり、または、ゲートウェイ装置２上に設けられた警告用のＬＥＤ（Light Emitting Diode）を点灯もしくは点滅させるようにしてもよい。一方、「関連情報」として、「ファームウェア更新情報」、「お知らせ」等の緊急性の低い情報が存在する通信デバイス２については、通信設定決定部２２は、ユーザの端末に向けてメールで通知するようにしてもよい。
【００５３】
通信設定決定部２２は、上記の通信設定（ステップＡ７）が完了すると、データベース１６に対して、決定した通信設定を登録する。また、通信設定決定部２２は、ゲートウェイ装置４の設定画面（例えば、ゲートウェイ装置４に接続されたユーザ端末（ＰＣ等）のディスプレイ上の設定画面）に、取得した通信デバイス２のＭＡＣアドレスとともに、通信設定決定部２２が決定した通信設定等を表示する。例えば、通信設定決定部２２は、取得した情報に基づき、ゲートウェイ装置４の設定画面に対して、ＭＡＣアドレスとともに、通信デバイス２の機器名、型番、ネットワーク区別等の情報を表示するようにしてもよい。これにより、ユーザは、ゲートウェイ装置４が自動設定した通信設定を参照し、ユーザが意図した通信設定であるかどうかを確認することができる。
【００５４】
（３）不正通信の報告
ゲートウェイ装置４の通信制御部２４は、ステップＡ７で決定した通信設定に従って、通信デバイス２による通信を制御する（ステップＡ８、Ａ９）。また、通信制御部２４は、製品カテゴリ、用途等に違反した通信（不正通信）が検出された場合、不正通信に関する情報（例えば、不正通信を行った通信デバイス２の識別子、不正通信の内容、等）を不正通信報告部２６に通知する。不正通信報告部２６は、不正通信に関する情報をユーザおよびデータベースサーバ６にフィードバックする。 具体的には、アラーム生成部２８は、ユーザに対して不正通信の発生を通知する。通知方法は特に限定されないが、例えば、ランプの点灯または点滅、アラーム音の発生、ユーザの端末にメールする等の方法を用いることができる。また、不正通信報告部２６は、不正通信に関する情報を報告データベース３０に蓄積し、ユーザの端末から参照可能とする。さらに、不正通信報告部２６は、不正通信に関する情報を、通信部１２を介してデータベースサーバ６に報告する（ステップＡ１０）。データベースサーバ６の報告受信部４２は、通信部３２を経由して、不正通信に関する情報を受信すると、報告データベース４４に蓄積する（ステップＡ１１）。
【００５５】
さらに、ゲートウェイ装置４のデータベース１６と、データベースサーバ６の情報デー得たベース３６の間では、適宜、保持する情報の更新や同期を行う（ステップＡ１２）。
【００５６】
（効果）
本実施形態のゲートウェイ装置によると、  ゲートウェイ装置が通信デバイス２の種別（ＰＣ、家電製品、ゲーム機、監視カメラ等）に応じた所定の情報（製品のカテゴリ、用途、通信機能、セキュリティ機能・性能、関連情報、推奨される通信設定等）をデータベースサーバから自動で取得し、取得した所定の情報に基づいて、通信デバイスに対する通信設定（ネットワーク分離、ＱｏＳ、有効ポート、有効アドレス、セキュリティ機能の代替、アクセス制限、ユーザへの通知等）を自動で実施する。したがって、本実施形態に係る通信制御システムによると、通信デバイスによるゲートウェイ装置を介した通信に係る設定をゲートウェイデバイスに自動で設定することが可能となる。
【００５７】
また、本実施形態によると、ユーザ自らが通信デバイスの情報を調査・設定することなく、ゲートウェイ装置により通信が適切に制御される。 したがって、ユーザはゲートウェイ装置上で通信に係るポリシや内部データベースの更新頻度のみを設定すればよい。さらに、本実施形態によると、通信デバイスが自製品に関する情報をゲートウェイ装置に通知する必要がないため、既存の通信デバイスを含む多くの通信デバイスに対して本実施形態の通信制御システムを適用することができる。 
【００５８】
＜実施形態２＞
次に、本発明の第２の実施形態に係る通信制御システムについて、図面を参照して説明する。第１の実施形態では、ゲートウェイ装置が決定した通信設定はゲートウェイ装置のデータベースに蓄積される。一方、本実施形態では、ゲートウェイ装置が決定した通信設定をデータベースサーバにも蓄積して、複数のゲートウェイ装置の間で通信設定を共有可能とする。
【００５９】
（構成）
図８は、本実施形態に係る通信制御システムの構成を例示する図である。図８を参照すると、通信制御システムは、ゲートウェイ装置４Ｐ、４Ｑおよびデータベースサーバ６を備えている。ゲートウェイ装置４Ｐ、４Ｑとデータベースサーバ６は、ＷＡＮ１０を介して接続されている。ゲートウェイ装置４Ｐには、Ethernet（登録商標）、Wi-Fi等のＬＡＮ８Ｐを介して、通信デバイス２Ａ〜２Ｃが接続する。同様に、ゲートウェイ装置４Ｑにも、ＬＡＮ８Ｑを介して通信デバイス２（例えば通信デバイス２Ｃ）が接続する。
【００６０】
複数のゲートウェイ装置４Ｐ、４Ｑの間で、通信設定を共有するケースとして、例えば、自宅のゲートウェイ装置４Ｐと別宅（別荘等）のゲートウェイ装置４Ｑの間で通信設定を共有することが考えられる。また、新旧のゲートウェイ装置を入れ替える際に、入れ替え前のゲートウェイ装置４Ｐの通信設定を、入れ替え後のゲートウェイ装置４Ｑに移行することが考えられる。さらに、オフィスビルの複数のフロアのそれぞれに設けられた複数のアクセスポイント（ゲートウェイ装置）に対して通信設定を一括して行う（同期処理する)ケースが考えらえる。なお、これらのユースケースは例示にすぎず、本実施形態が適用されるケースはこれらに限定されない。また、図８に示す接続構成、および、ゲートウェイ装置４、通信デバイス２の台数も例示にすぎない。以下では、ゲートウェイ装置４Ｐ、４Ｑを、適宜ゲートウェイ装置４と総称する。
【００６１】
以下、本実施形態の通信制御システムについて、第１の実施形態との差分を中心に説明する。本実施形態におけるゲートウェイ装置４Ｐ、４Ｑも、第１の実施形態におけるゲートウェイ装置４（図３）と同様の構成を有する。ただし、本実施形態では、ゲートウェイ装置４の通信設定決定部２２は、決定した通信設定をデータベースサーバ６にも送出する。
【００６２】
本実施形態のデータベースサーバ６も、第１の実施形態におけるデータベースサーバ６（図５）と同様の構成を有する。ただし、本実施形態では、データベースサーバ６の情報データベース３６は、ゲートウェイ装置４から送出された通信設定も併せて保持する。ここでは、一例として、ゲートウェイ装置４から取得した通信設定を情報データベース３６が保持する構成としたが、データベースサーバ６は、取得した通信設定を別個のデータベースとして保持してもよい。
【００６３】
図９は、本実施形態におけるデータベースサーバ６の情報データベース３６が保持する情報を例示する表である。図９を参照すると、情報データベース３６は、ゲートウェイ装置４の識別子と、通信デバイス２の識別子と、「所定の情報」と、ゲートウェイ装置４により決定された「通信設定」とを関連付けて保持する。なお、通信設定を決定したゲートウェイ装置４を識別する必要がない場合、図９のゲートウェイ装置の識別子を省略してもよい。
【００６４】
また、本実施形態では、データベース検索部３８は、ゲートウェイ装置４からの情報要求を受けると、当該情報要求に応じて、情報データベース３６を参照し、ゲートウェイ装置４から問い合わせされたＭＡＣアドレスに対応する製品に関する「所定の情報」と「通信設定」を検索する。応答情報送信部４０は、検索された「所定の情報」と「通信設定」をゲートウェイ装置４に送信する。一方、当該通信要求に含まれるＭＡＣアドレスに対応する製品に対する「通信設定」が情報データベース３６に未登録である場合、応答情報送信部４０は、「所定の情報」のみをゲートウェイ装置４に送信する。
【００６５】
（動作）
図１０は、本実施形態に係る通信制御システムの動作を例示するシーケンス図である。ここでは、ゲートウェイ装置４Ｐによって決定された通信デバイス２Ａ、２Ｃに対する通信設定がデータベースサーバ６の情報データべース３６（図９）に登録済である場合に、通信デバイス２Ａまたは２Ｂがゲートウェイ装置４Ｑに接続したときの動作を説明する。
【００６６】
図１０のシーケンス図において、通信デバイス２Ａまたは２Ｂがゲートウェイ装置４Ｑに通信要求を送出する動作（ステップＢ１）、および、ゲートウェイ装置４Ｑが自身のデータベース１６を確認する動作（ステップＢ２）は、第１の実施形態（図７）のステップＡ１、Ａ２と同様である。
【００６７】
本実施形態では、データベースサーバ６の情報要求受信部３４は、ゲートウェイ装置４からの情報要求を、通信部３２を介して受け付けて、データベース検索部３８に転送する。データベース検索部３８は、当該情報要求に応じて情報データベース３６を参照し、ゲートウェイ装置４から問い合わせ（情報要求）されたＭＡＣアドレスに対応する通信デバイスに関する「所定の情報」と「通信設定」を検索する（ステップＢ４）。ＭＡＣアドレスに対応する「通信設定」が存在する場合（すなわち、通信デバイス２Ａがゲートウェイ装置４Ｑにアクセスした場合）、応答情報送信部４０は、検索された「所定の情報」と「通信設定」を、通信部３２を経由してゲートウェイ装置４に送信する（ステップＢ５）。一方、ＭＡＣアドレスに対応する「通信設定」が存在しない場合（すなわち、通信デバイス２Ｂがゲートウェイ装置４Ｑにアクセスした場合）、応答情報送信部４０は、検索された「所定の情報」を、通信部３２を経由してゲートウェイ装置４に送信する（ステップＢ５）。なお、データベースサーバ６は、複数のゲートウェイ装置（例えば、ゲートウェイ装置４Ｐ、４Ｑ）間で通信設定を共有可能とする際に、必要であればユーザ認証等の処理を併せて行うようにしてもよい。
【００６８】
データベースサーバ６から「所定の情報」のみを受信した場合、ゲートウェイ装置４Ｑが行う情報登録動作（ステップＢ６）および通信設定動作（ステップＢ７）は、第１の実施形態（図７）のステップＡ６、Ａ７と同様である。一方、データベースサーバ６から「所定の情報」と「通信設定」の双方を受信した場合、ゲートウェイ装置４Ｑの応答情報受信部２０は、受信した「所定の情報」と「通信設定」を通信デバイス２のＭＡＣアドレスに関連付けて、データベース１６に格納する（ステップＢ６）。また、通信設定決定部２２は、データベースサーバ６から受信した「通信設定」を、当該通信デバイスに対する通信設定として使用する（ステップＢ７）。
【００６９】
（効果）
本実施形態の通信制御システムは、第１の実施形態の通信制御システムによってもたらされる効果に加えて、次の効果を奏する。本実施形態では、データベースサーバを介して、複数のゲートウェイ装置の間でゲートウェイ装置が決定した通信設定が共有される。したがって、本実施形態によると、ユーザは接続先のゲートウェイ装置に依らず（すなわち、アクセスするＬＡＮに依らず）、同一の通信デバイスについては、同一の通信設定を享受することが可能となる。また、本実施形態によると、ユーザは複数のゲートウェイ装置のうちのいずれか１つに対してのみポリシを設定すればよく、複数のゲートウェイ装置のそれぞれについて、ポリシを設定し、管理する煩雑さから解放される。したがって、自宅と別宅で複数のゲートウェイ装置を用いる場合や、新旧のゲートウェイ装置を入れ替える際、または、複数のフロアのそれぞれにゲートウェイ装置を設置した場合におけるゲートウェイ装置の管理が容易になる。
【００７０】
＜変形例＞
上記の実施形態１、２では、通信デバイス２の識別子としてＭＡＣアドレスを使用する場合について説明した。ここでは、一例として通信デバイス２に対してＭＡＣアドレス"AB:CD:EF:ab:12:34"というＭＡＣアドレスが付与されたときの変形例について説明する。ここで、ＭＡＣアドレスのうちの"AB:CD:EF"の部分はメーカを表す情報として使用可能である。製品・個体番号の割り当てはメーカによって異なるが、ここでは、一例として、"ab"が製品(型番)を表す情報であるとし、"12:34"が個体情報であるとする。
【００７１】
このとき、ゲートウェイ装置４のデータベース１６（図４）の通信デバイスの識別子として、ＭＡＣアドレス"AB:CD:EF:ab:12:34"を使用することができる。一方、ゲートウェイ装置４とは異なり、データベースサーバ６の情報データベース３６（図６）で管理する識別子では通信デバイス２の製品(型番)を識別できればよい。したがって、通信デバイスの識別子ごとに図６に示す「所定の情報」を保持する必要はない。すなわち、データベースサーバ６の情報データベース３６（図６）では、"AB:CD:EF:ab:**:**"(*はワイルドカード)という識別子と関連付けて、当該製品に対する「所定の情報」を保持すればよい。このとき、情報データベース３６が保持すべきデータの量を大幅に削減することが可能となる。ただし、第２の実施形態のデータベースサーバ６における情報データベース３６（図９）のように、ゲートウェイ装置が通信デバイス単位で決定した通信設定を保持する場合、通信デバイスの識別子として、通信デバイスを一意に特定する識別子（例えば、ＭＡＣアドレス"AB:CD:EF:ab:12:34"）を使用する必要がある。
【００７２】
なお、本発明において、下記の形態が可能である。
［形態１］
上記第１の態様に係るゲートウェイ装置のとおりである。
［形態２］
前記所定の情報は、製品のカテゴリ、用途、通信機能、セキュリティ機能・性能、関連情報、および、推奨される通信設定のうちの少なくともいずれかを含む、
形態１に記載のゲートウェイ装置。
［形態３］
前記推奨される通信設定は、製品のカテゴリ、用途、通信機能、セキュリティ機能・性能、および、関連情報のうちの少なくともいずれかに関して推奨される通信設定であり、
前記通信設定決定部は、前記推奨される通信設定に応じて、前記通信デバイスに対する通信設定を決定する、
形態２に記載のゲートウェイ装置。
［形態４］
前記通信設定決定部は、前記所定の情報が製品のカテゴリを含む場合、前記製品のカテゴリに応じて、前記通信デバイスによりアクセス可能なネットワークとそれ以外のネットワークとを分離する通信設定を行う、
形態２または３に記載のゲートウェイ装置。
［形態５］
前記通信設定決定部は、前記所定の情報が用途を含む場合、前記用途に応じて前記通信デバイスによる通信の帯域および優先度に関する通信設定を行う、
形態２ないし４のいずれか一に記載のゲートウェイ装置。
［形態６］
前記通信設定決定部は、前記所定の情報が通信機能を含む場合、前記通信機能に応じて前記通信デバイスによる通信の有効ポートに関する通信設定を行う、
形態２ないし５のいずれか一に記載のゲートウェイ装置。
［形態７］
前記通信設定決定部は、前記所定の情報がセキュリティ機能・性能を含む場合、前記セキュリティ機能・性能に応じて、前記通信デバイスによる暗号処理を前記ゲートウェイ装置によって代替するように通信設定を行う、
形態２ないし６のいずれか一に記載のゲートウェイ装置。
［形態８］
前記通信設定決定部は、前記所定の情報が関連情報を含む場合、前記通信デバイスによる少なくとも一部のポート、アドレスへのアクセスを遮断し、もしくは、前記通信デバイスによる通信を拒否する通信設定を行い、または、前記関連情報をユーザに通知する、
形態２ないし７のいずれか一に記載のゲートウェイ装置。
［形態９］
前記通信デバイスの識別子と前記所定の情報とを関連付けて保持するデータベースと、
前記通信デバイスの識別子を含む通信要求を前記通信デバイスから受信する通信部と、を備え、
前記通信設定決定部は、前記データベースを参照して、前記通信要求に含まれる識別子に関連付けられた前記所定の情報に基づいて、前記通信デバイスに対する通信設定を決定する、
形態１ないし８のいずれか一に記載のゲートウェイ装置。
［形態１０］
前記通信要求に含まれる前記通信デバイスの識別子と前記所定の情報とを関連付けて前記データベースに保持していない場合、前記識別子を用いて前記所定の情報をデータベースサーバに問い合わせる情報要求送信部と、
前記問い合わせに応じて前記データベースサーバから前記所定の情報を取得し、前記識別子と関連付けて前記データベースに格納する応答情報受信部と、を備える、
形態９に記載のゲートウェイ装置。
［形態１１］
前記通信設定決定部は、決定した前記通信デバイスに対する通信設定を、前記通信デバイスの識別子および前記所定の情報と関連付けて前記データベースに格納する、
形態１０に記載のゲートウェイ装置。
［形態１２］
上記第２の態様に係る通信制御方法のとおりである。
［形態１３］
前記所定の情報は、製品のカテゴリ、用途、通信機能、セキュリティ機能・性能、関連情報、および、推奨される通信設定のうちの少なくともいずれかを含む、
形態１２に記載の通信制御方法。
［形態１４］
前記推奨される通信設定は、製品のカテゴリ、用途、通信機能、セキュリティ機能・性能、および、関連情報のうちの少なくともいずれかに関して推奨される通信設定であり、
前記ゲートウェイ装置は、前記推奨される通信設定に応じて、前記通信デバイスに対する通信設定を決定する、
形態１３に記載の通信制御方法。
［形態１５］
前記ゲートウェイ装置は、前記所定の情報が製品のカテゴリを含む場合、前記製品のカテゴリに応じて、前記通信デバイスによりアクセス可能なネットワークとそれ以外のネットワークとを分離する通信設定を行う、
形態１３または１４に記載の通信制御方法。
［形態１６］
前記ゲートウェイ装置は、前記所定の情報が用途を含む場合、前記用途に応じて前記通信デバイスによる通信の帯域および優先度に関する通信設定を行う、
形態１３ないし１５のいずれか一に記載の通信制御方法。
［形態１７］
前記ゲートウェイ装置は、前記所定の情報が通信機能を含む場合、前記通信機能に応じて前記通信デバイスによる通信の有効ポートに関する通信設定を行う、
形態１３ないし１６のいずれか一に記載の通信制御方法。
［形態１８］
前記ゲートウェイ装置は、前記所定の情報がセキュリティ機能・性能含む場合、前記セキュリティ機能・性能に応じて、前記通信デバイスによる暗号処理を前記ゲートウェイ装置によって代替するように通信設定を行う、
形態１３ないし１７のいずれか一に記載の通信制御方法。
［形態１９］
前記ゲートウェイ装置は、前記所定の情報が関連情報を含む場合、前記通信デバイスによる少なくとも一部のポート、アドレスへのアクセスを遮断し、もしくは、前記通信デバイスによる通信を拒否する通信設定を行い、または、前記関連情報をユーザに通知する、
形態１３ないし１８のいずれか一に記載の通信制御方法。
［形態２０］
前記ゲートウェイ装置が、前記通信デバイスの識別子と前記所定の情報とを関連付けてデータベースに保持するステップと、
前記通信デバイスの識別子を含む通信要求を前記通信デバイスから受信するステップと、を含み、
前記通信デバイスに対する通信設定の決定は、前記データベースを参照して、前記通信要求に含まれる識別子に関連付けられた前記所定の情報に基づいて行われる、
形態１３に記載の通信制御方法。
［形態２１］
前記通信要求に含まれる前記通信デバイスの識別子と前記所定の情報とを関連付けて前記データベースに保持していない場合、前記ゲートウェイ装置が、前記識別子を用いて前記所定の情報をデータベースサーバに問い合わせるステップと、
前記問い合わせに応じて前記データベースサーバから前記所定の情報を取得し、前記識別子と関連付けて前記データベースに格納するステップと、を含む、
形態２０に記載の通信制御方法。
［形態２２］
前記ゲートウェイ装置が、決定した前記通信デバイスに対する通信設定を、前記通信デバイスの識別子および前記所定の情報と関連付けて前記データベースに格納するステップを含む、
形態２１に記載の通信制御方法。
［形態２３］
上記第３の態様に係る通信制御システムのとおりである。
［形態２４］
前記通信設定決定部は、前記通信デバイスの識別子と前記通信デバイスに対して決定した通信設定を前記データベースサーバに通知し、
前記データベースサーバは、前記ゲートウェイ装置の識別子と前記通信デバイスの識別子と前記通信デバイスに対して決定された通信設定とを関連付けて保持し、他のゲートウェイ装置から前記通信デバイスに対する前記所定の情報の問い合わせに応じて、前記ゲートウェイ装置により決定された通信設定を回答する、
形態２３に記載の通信制御システム。
［形態２５］
上記第４の態様に係るプログラムのとおりである。
【００７３】
なお、上記特許文献の全開示内容は、本書に引用をもって繰り込み記載されているものとする。本発明の全開示（請求の範囲を含む）の枠内において、さらにその基本的技術思想に基づいて、実施形態の変更・調整が可能である。また、本発明の全開示の枠内において種々の開示要素（各請求項の各要素、各実施形態の各要素、各図面の各要素等を含む）の多様な組み合わせ、ないし、選択が可能である。すなわち、本発明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【００７４】
２、２Ａ〜２Ｃ    通信デバイス
４、４Ｐ、４Ｑ    ゲートウェイ装置
６    データベースサーバ
８、８Ｐ、８Ｑ    ＬＡＮ
１０    ＷＡＮ
１２    通信部
１４    情報要求送信部
１６    データベース
１８    データベース検索部
２０    応答情報受信部
２２    通信設定決定部
２４    通信制御部
２６    不正通信報告部
２８    アラーム生成部
３０    報告データベース
３２    通信部
３４    情報要求受信部
３６    情報データベース
３８    データベース検索部
４０    応答情報送信部
４２    報告受信部
４４    報告データベース
【図１】
0006766337.tif 000002
【図２】
0006766337.tif 000003
【図３】
0006766337.tif 000004
【図４】
0006766337.tif 000005
【図５】
0006766337.tif 000006
【図６】
0006766337.tif 000007
【図７】
0006766337.tif 000008
【図８】
0006766337.tif 000009
【図９】
0006766337.tif 000010
【図１０】
0006766337.tif 000011